(57)【要約】【課題】データ送受信ケーブルを１本で行うマイコン間通信の耐ノイズ性能を向上することができる空気調和機を提供することを目的とする。【解決手段】室内の空気を排気・給気する空気調和機において、制御回路部９に制御手段としてマイコンａ１７と、前記制御回路から有線によって離れた場所で操作する前記操作部１０に操作を判定する判定手段としてマイコンｂ１８を設け、マイコンａ１７とマイコンｂ１８でデータを送受信する構成において、マイコンａ１７とマイコンｂ１８の送受信状態が常に対象の状態にあることで、マイコンａ・マイコンｂ間の送受信用ケーブル１本でデータ送受信する構成において、マイコンａ・マイコンｂの送受信状態切り換え時にある一定時間経過後、送受信状態を切り替える構造を設け、操作部から操作を受けていない状態でも常にデータの送受信を繰り返すことで、正常にデータの送受信を行うことを特徴とする空気調和機。【選択図】図３
2013057418.tif 000002
【特許請求の範囲】
【請求項１】
室内の汚れた空気を排気する排気口と、給気フィルタを通して室外の空気を給気する給気口と、排気と給気の風路には排気と給気の熱量を交換する熱交換素子と、両軸に排気用の羽根と給気用の羽根をそれぞれ備えて排気と給気を同時に行う１つのＤＣモータと、前記ＤＣモータを制御する制御回路部に制御手段としてマイコンａと、前記制御回路から有線によって離れた場所で操作する操作部と、前記操作部に操作を判定する判定手段としてマイコンｂを設け、マイコンａとマイコンｂでデータを送受信する構成において、マイコンａとマイコンｂはリセット解除後、マイコンａは受信状態、マイコンｂは送信状態になり、マイコンａは受信状態でマイコンｂからデータを受けると送信状態に切り替り、マイコンｂはマイコンａにデータを送信後に受信状態に切り替り、マイコンａからのデータを受信する状態になり、マイコンａとマイコンｂの送受信状態が常の対象に関係状態にあることで、電源用データ線１本とグランド用データ線１本とマイコンａ・マイコンｂ間の送受信用ケーブル１本で前記制御部と前記操作部のデータ送受信する構成において、マイコンａ・マイコンｂの送受信状態切り換え時に、ある一定時間経過後、送受信状態を切り替える構造を設け、操作部から操作を受けていない状態でも常にデータの送受信を繰り返すことで、送受信用ケーブルを長くしても外部からの耐ノイズ性能を向上させることを特徴とする空気調和機。
【請求項２】
マイコンａ・マイコンｂは送信状態で受信データを受信しても、読み込み結果を無視することを特徴とする請求項１に記載の空気調和機。
【請求項３】
マイコンａ・マイコンｂは受信状態で、ある一定時間データを受信できない場合、送信状態に切り替わり再度データを送信するという動作を一定回数繰り返すことを特徴とする請求項１に記載の空気調和機。
【請求項４】
前記操作部に通信エラーを表示するエラー表示手段を設け、通信が正常に行われていない場合に前記エラー表示手段に表示し、運転を停止することを特徴とした請求項１・請求項３に記載の空気調和機。
【発明の詳細な説明】
【技術分野】
【０００１】
本発明は、室内の排気と給気を行うために、有線のリモコンを介して制御部と通信する住宅用する空気調和機に関する。
【背景技術】
【０００２】
従来、この種の空気調和機には図６に示すようにデータを送受信するためにマイコンＡ１０１と、マイコンＢ１０２と、マイコンＡ１０１・マイコンＢ１０２間を連結させるために、連結コネクタＡ１０３・連結コネクタＢ１０４を介して電源ケーブル１０５とＧＮＤケーブル１０６と送受信ケーブル１０７の３本のケーブルで構成されている。（例えば、特許文献１参照）。
【先行技術文献】
【特許文献】
【０００３】
【特許文献１】特開平２−２５６５６号公報
【発明の概要】
【発明が解決しようとする課題】
【０００４】
上記のような従来の方法では、送受信ケーブルが長くなるとデータの遅れにより、正常にデータの送受信が行えないという課題があった。
【０００５】
そこで本発明は、上記従来の課題を解決するものであり、各マイコンの送受信状態切り換え時にある一定時間経過後、送受信状態を切り替える構造を設け、操作部から操作を受けていない状態でも常にデータの送受信を繰り返すことで、正常にデータの送受信を行うことを目的とする。
【課題を解決するための手段】
【０００６】
この目的を達成するために、本発明の空気調和機は、室内の汚れた空気を排気する排気口と、給気フィルタを通して室外の空気を給気する給気口と、排気と給気の風路には排気と給気の熱量を交換する熱交換素子と、両軸に排気用の羽根と給気用の羽根をそれぞれ備えて排気と給気を同時に行う１つのＤＣモータと、前記ＤＣモータを制御する制御回路部に制御手段としてマイコンａと、前記制御回路から有線によって離れた場所で操作する操作部と、前記操作部に操作を判定する判定手段としてマイコンｂを設け、マイコンａとマイコンｂでデータを送受信する構成において、マイコンａとマイコンｂはリセット解除後、マイコンａは受信状態、マイコンｂは送信状態になり、マイコンａは受信状態でマイコンｂからデータを受けると送信状態に切り替り、マイコンｂはマイコンａにデータを送信後に受信状態に切り替り、マイコンａからのデータを受信する状態になり、マイコンａとマイコンｂの送受信状態が常の対象に関係状態にあることで、電源用データ線１本とグランド用データ線１本とマイコンａ・マイコンｂ間の送受信用ケーブル１本で前記制御部と前記操作部のデータ送受信する構成において、マイコンａ・マイコンｂの送受信状態切り換え時にある一定時間経過後、送受信状態を切り替える構造を設け、操作部から操作を受けていない状態でも常にデータの送受信を繰り返すことで、送受信用ケーブルを長くしても正常にデータの送受信を行うことが可能であるものである。
【発明の効果】
【０００７】
本発明によれば、室内の汚れた空気を排気する排気口と、給気フィルタを通して室外の空気を給気する給気口と、排気と給気の風路には排気と給気の熱量を交換する熱交換素子と、両軸に排気用の羽根と給気用の羽根をそれぞれ備えて排気と給気を同時に行う１つのＤＣモータと、前記ＤＣモータを制御する制御回路部に制御手段としてマイコンａと、前記制御回路から有線によって離れた場所で操作する操作部と、前記操作部に操作を判定する判定手段としてマイコンｂを設け、マイコンａとマイコンｂでデータを送受信する構成において、マイコンａとマイコンｂはリセット解除後、マイコンａは受信状態、マイコンｂは送信状態になり、マイコンａは受信状態でマイコンｂからデータを受けると送信状態に切り替り、マイコンｂはマイコンａにデータを送信後に受信状態に切り替り、マイコンａからのデータを受信する状態になり、マイコンａとマイコンｂの送受信状態が常の対象に関係状態にあることで、電源用データ線１本とグランド用データ線１本とマイコンａ・マイコンｂ間の送受信用ケーブル１本で前記制御部と前記操作部のデータ送受信する構成において、マイコンａ・マイコンｂの送受信状態切り換え時にある一定時間経過後、送受信状態を切り替える構造を設け、操作部から操作を受けていない状態でも常にデータの送受信を繰り返すことで、送受信用ケーブルを長くしても正常にデータの送受信を行うことができる空気調和機が得られる。
【図面の簡単な説明】
【０００８】
【図１】本発明の実施の形態１の空気調和機の取り付け状態図
【図２】制御回路部９と操作部１０の回路構成図
【図３】マイコンａ１７、マイコンｂのフローチャート
【図４】マイコンａ１７、マイコンｂのタイムチャート
【図５】マイコンａ１７、マイコンｂのタイムチャート
【図６】従来の空気調和機の図
【発明を実施するための形態】
【０００９】
本発明の請求項１記載の空気調和機の発明は、室内の汚れた空気を排気する排気口と、給気フィルタを通して室外の空気を給気する給気口と、排気と給気の風路には排気と給気の熱量を交換する熱交換素子と、両軸に排気用の羽根と給気用の羽根をそれぞれ備えて排気と給気を同時に行う１つのＤＣモータと、前記ＤＣモータを制御する制御回路部に制御手段としてマイコンａと、前記制御回路から有線によって離れた場所で操作する操作部と、前記操作部に操作を判定する判定手段としてマイコンｂを設け、マイコンａとマイコンｂでデータを送受信する構成において、マイコンａとマイコンｂはリセット解除後、マイコンａは受信状態、マイコンｂは送信状態になり、マイコンａは受信状態でマイコンｂからデータを受けると送信状態に切り替り、マイコンｂはマイコンａにデータを送信後に受信状態に切り替り、マイコンａからのデータを受信する状態になり、マイコンａとマイコンｂの送受信状態が常の対象に関係状態にあることで、電源用データ線１本とグランド用データ線１本とマイコンａ・マイコンｂ間の送受信用ケーブル１本で前記制御部と前記操作部のデータ送受信する構成において、マイコンａ・マイコンｂの送受信状態切り換え時にある一定時間経過後、送受信状態を切り替える構造を設け、操作部から操作を受けていない状態でも常にデータの送受信を繰り返すという構成を有する。
【００１０】
これにより、送受信用ケーブルを長くしても正常にデータの送受信を行うという効果を奏する。
【００１１】
また、請求項２記載の空気調和機の発明は、マイコンａ・マイコンｂは送信状態で受信データを受信しても、読み込み結果を無視するという構成を有する。
【００１２】
これにより、ノイズの影響による誤データの入力を無効にできるという作用を有し、正常にデータの送受信を行うことができるという効果を奏する。
【００１３】
また、請求項３記載の空気調和機の発明は、マイコンａ・マイコンｂは受信状態で、ある一定時間データを受信できない場合、送信状態になり再度データを出力するという動作を一定回数繰り返すという構成を有する。
【００１４】
これにより、一定時間データを受信できない場合、送信状態になり再度データを出力することでノイズのよりデータが正常に読み取れなかった場合に再度通信するという作用を有し、正常にデータの送受信を行うことができるという効果を奏する。
【００１５】
また、請求項４記載の空気調和機の発明は、前記操作部に通信エラーを表示するエラー表示手段を設け、通信が正常に行われていない場合に前記エラー表示手段に表示し、運転を停止するという構成を有する。
【００１６】
これにより、通信が正常に行われていない場合に前記エラー表示手段に表示することでケーブルの断線や部品の故障が発生した状態を視覚的に確認できるという作用を有し、通信の状態を使用者に知らせることができるという効果を奏する。
【００１７】
以下、本発明の実施の形態について図面を参照しながら説明する。
【００１８】
（実施の形態１）
図１に示すように、本発明の空気調和機は、室内の天井裏に設置されており、本体１の下方にルーバー２で覆われた吸込口３を有し、また、本体１の一方の側面には、他の室内にダクトを介して接続された吸込口３および吸出口４を有し、他方の側面には、室外にダクトを介して接続された排気口５および給気口６が設けられている。
【００１９】
本体１内部には、排気と給気の風路にあって排気と給気の熱量を交換する熱交換素子７と、熱交換素子７と給気口６の間には、室外の汚れた空気をきれいにしてから室内に給気するための給気フィルタ８を備えている。また、熱交換素子７と吸込口３および吸出口４の間には、両軸に排気用の羽根１１と給気用の羽根１２をそれぞれ備えて排気と給気を同時に行う１つのＤＣモータ１３を備え、室内の空気は吸込口３から熱交換素子７を介して排気口５へ排気され、室外の空気は給気口６から給気フィルタ８および熱交換素子７を介して吸出口４から給気される。
【００２０】
また、制御回路部９と制御回路部９よりケーブル１６により接続される操作部１０を設け、制御回路部９と操作部１０はデータを送受信することでＤＣモータ１３を制御する。操作部１０には操作を選択する操作スイッチ１４と故障時にエラーを表示するエラー表示部１５を設けた構成となっている。
【００２１】
図２は制御回路部９と操作部１０の回路構成図である。制御回路部９にマイコンａ１７と操作部１０にマイコンｂ１８を設け、連結コネクタａ１９、連結コネクタｂ２０に接続されるケーブル１６により制御回路部９と操作部１０は連結している構成である。
【００２２】
マイコンｂ１８がデータを出力すると、デジタルトランジスタｃ２５がＯＮすることで、抵抗ａ２６にてプルアップしいて絶縁用フォトカプラａ２１がＯＮし、抵抗ｂ２７よりプルアップされている５Ｖが抵抗ｅ３０を介してマイコンａにデータが入力される。
【００２３】
マイコンａがデータを出力するとデジタルトランジスタａ２３がＯＮすることで５Ｖが抵抗ｃ２８を介して絶縁用フォトカプラｂ２２をＯＮする。絶縁用フォトカプラｂ２２がＯＮすることでデジタルトランジスタｂ２４がＯＮし、抵抗ｄ２９によりプルアップされている５Ｖが抵抗ｆ３１を介してマイコンｂ１８にデータを入力する。
【００２４】
絶縁の構成が必要ない場合は絶縁用フォトカプラａ２１、絶縁用フォトカプラｂ２２をデジタルトランジスタ、トランジスタとしてもよい。
【００２５】
図３にマイコンａ１７、マイコンｂのフローチャート図示す。電源投入後、マイコンａ１７は受信状態、マイコンｂ１８は送信状態になる。操作スイッチ１４により操作を選択すると、マイコンｂ１８選択内容のデータを送信する。データ送信後、マイコンｂ１８は受信状態に切り替わる。一方、マイコンａ１７は受信状態から前記マイコンｂ１８の送信データを受信すると、送信状態に切り替わり、データを送信する。送信後、受信状態に切り替わる。マイコンｂ１８は受信状態から前記マイコンａ１７の送信データを受信すると送信状態に切り替わりデータを送信する。マイコンａ１７とマイコンｂ１８の送信・受信状態が常に対象になるように構成されている。
【００２６】
また、マイコンａ１７・マイコンｂ１８送信状態でデータを受信しても受信データを読み込まないことを特徴とする。上記図２の回路構成ではマイコンｂ１８送信時、データを送信するとデジタルトランジスタｃ２５がＯＮすることで、デジタルトランジスタｂ２４がＯＮするためマイコンｂ１８にデータが入力される。しかし、送信時は入力データを読み込まないことで、マイコンｂ１８の誤動作を防ぐことができ、また、ノイズによってデータ誤入力などが原因の誤動作を防ぐことができる。
【００２７】
また、マイコンａ１７・マイコンｂ１８は受信状態から送信状態に、送信状態から受信状態に切り替わるとき、ある一定時間経過後、送受信状態を切り替える構造を設けたものである。図４に示すように、データ送信後、すぐに受信するのではなく、ある一定時間設け受信する。例えばここでは１００ｍｓ後に状態を切り替える。状態を切り替えるまでにある一定時間経過後、送受信状態を切り替える構造を設けることで、マイコンａ１７・マイコンｂ１８の内部処理時間のばらつきや、回路構成部品のばらつきなどにより、マイコンａ１７・マイコンｂ１８の受信・送信状態がどちらも受信状態、またはどちらも送信状態になることを防ぐことができ、常に対象状態となる。
【００２８】
また、マイコンａ１７・マイコンｂ１８は操作部１０にて操作の選択されていない時も常に、マイコンａ１７・マイコンｂ１８間でデータの送受信を繰返していることを特徴とする。例えば、操作部１０より操作を選択されると、マイコンｂ１８はマイコンａ１７にデータを送信し、マイコンｂ１８は受信状態になる。マイコンａ１７はマイコンｂ１８のデータを受信すると送信状態に切り替わり、データを出力し受信状態に切り替わる。マイコンｂ１８はマイコンａ１７のデータを受信すると送信状態に切り替わり、データを送信する。このように操作部１０から一度操作を選択されると、次の操作が選択されるまで繰返すことを特徴とする。
【００２９】
このように、マイコンａ１７・マイコンｂ１８の送受信状態切り換え時にある一定時間経過後、送受信状態を切り替える構造を設け、操作部から操作を受けていない状態でも常にデータの送受信を繰り返すことで、ケーブル１６を長くしても正常にデータの送受信を行うことが可能となる。
【００３０】
また、常に送受信を繰返すことで、回路故障やケーブルの断線などの異常状態を迅速に判断することができる。
【００３１】
（実施の形態２）
本実施の形態は前記実施の形態１と制御方法が同一であり、同一構成のものは同一番号を付して詳しい説明は省略する。
【００３２】
マイコンａ１７・マイコンｂ１８は送信状態からデータを送信して、受信状態になったとき、ある一定時間データを受信できないと送信状態に切り替わり、データを送信して再度受信状態になる。例えば、図５に示すように、データを送信して受信状態に切り替わっても、５００ｍｓデータを受信しない場合は、再度送信状態に切り替わりデータを送信する。そして、送受信が正常に行えるまで繰り返す。上記のように正常に送受信を行えなかった場合に送受信を繰返すことで、回路故障やケーブルの断線などの異常状態を迅速に判断することができる。また、ノイズの影響でデータの送受信が正常に行えなかった場合に再度トライすることで、耐ノイズ性能を向上させることができる。
【００３３】
また前記送受信のトライがある一定回数正常に送受信できなかった場合、例えばここでは一定回数を５０サイクルと設定すると、マイコンｂ１８からマイコンａ１７にデータを送信し、マイコンａ１７がマイコンｂ１８からデータを受信することでマイコンａ１７が送信状態に切り替わり、マイコンｂ１８にデータを送信する。そのデータをマイコンｂ１８が受信するまでを１サイクルとすると、前記送受信を５０サイクル繰り返し、１度も正常にデータを送受信できなかった場合はエラー表示部１５に表示する。エラー表示部１５に表示することで使用者が視覚的に回路故障やケーブルの断線などの異常状態を判断することができる。
【産業上の利用可能性】
【００３４】
本発明にかかる空気調和機は、送受信ケーブル１本でマイコン間通信を行う場合に、耐ノイズ性能を向上させるものであり、一般住宅などに用いられる空気調和機に有用である。
【符号の説明】
【００３５】
１    本体
２    ルーバー
３    吸込口
４    吸出口
５    排気口
６    給気口
７    熱交換素子
８    給気フィルタ
９    制御回路部
１０  操作部
１１  排気用の羽根
１２  給気用の羽根
１３  ＤＣモータ
１４  操作スイッチ
１５  エラー表示部
１６  ケーブル
１７  マイコンａ
１８  マイコンｂ
１９  連結コネクタａ
２０  連結コネクタｂ
２１  絶縁用フォトカプラａ
２２  絶縁用フォトカプラｂ
２３  デジタルトランジスタａ
２４  デジタルトランジスタｂ
２５  デジタルトランジスタｃ
２６  抵抗ａ
２７  抵抗ｂ
２８  抵抗ｃ
２９  抵抗ｄ
３０  抵抗ｅ
３１  抵抗ｆ
【図１】
2013057418.tif 000003
【図２】
2013057418.tif 000004
【図３】
2013057418.tif 000005
【図４】
2013057418.tif 000006
【図５】
2013057418.tif 000007
【図６】
2013057418.tif 000008